(57)【要約】　　　（修正有）【課題】引出しを所定位置まで閉じ操作すると、以後は自動的に収納位置まで移動させて位置保持でき、しかも収納状態から引出しを押し込み操作すると所定位置まで自動的に開放できる引出し装置を提供する。【解決手段】固定レール３の内奥に、第２レール壁１４ｂを形成する。第２レール壁１４ｂにシーソー体３０を臨ませて配置する。シーソー体３０を支持アーム３１で作動位置に係合保持した状態において、シーソー体３０の転動面３９上に移行した走行ローラー６が収納位置へ向かって転動することにより引出し２が自己閉止する。同時に走行ローラー６で支持アーム３１を係合解除操作して、シーソー体３０を待機姿勢に切り換える。収納位置から引出し２を押し込み操作してキャッチ具７をロック解除することにより、走行ローラー６を第２レール壁１４ｂで転動案内して自己開放し、走行ローラー６の移行動作でシーソー体３０を作動状態に復帰操作する。【選択図】　　　　図１
2004065701.tif 000002
【特許請求の範囲】
【請求項１】
引出し枠１側に設けられる固定レール３およびガイドローラー４と、これら固定レール３およびガイドローラー４で抜き差し自在に案内される、引出し２側の可動レール５および走行ローラー６と、引出し２と引出し枠１との間に設けられて、収納位置に差し込まれた引出し２を保持固定するキャッチ具７とを備えており、
固定レール３には、走行ローラー６を転動案内する第１レール壁１４ａと、第１レール壁１４ａに連続して収納位置へ向かって上り傾斜する第２レール壁１４ｂとが形成されており、
収納位置へ向かって下り傾斜する転動面３９を備えたシーソー体３０が、第２レール壁１４ｂに臨んで配置されており、
シーソー体３０は、転動面３９が第２レール壁１４ｂより上方へ突出する作動位置と、転動面３９が第２レール壁１４ｂより下方へ退避する解除位置との間で上下揺動できるよう固定レール３に軸支されており、
作動位置においてシーソー体３０を係合保持する支持アーム３１と、支持アーム３１を係合付勢するばね４６とが引出し枠１側に設けられており、
シーソー体３０を支持アーム３１で作動位置に係合保持した状態において、転動面３９上に移行操作された走行ローラー６が収納位置へ向かって転動することにより、引出し２を自己閉止し、同時に引出し２側の部材で支持アーム３１をばね４６に抗して係合解除操作することにより、シーソー体３０を待機姿勢に切り換えることができ、
収納位置から引出し２を押し込み操作して、キャッチ具７をロック解除することにより、走行ローラー６を第２レール壁１４ｂで開放方向へ自己開放し、走行ローラー６の移行動作でシーソー体３０を作動状態に復帰操作できるようにしてある引出し装置。
【請求項２】
シーソー体３０には、揺動軸３４より引出し開口側の短尺のリセット腕３５と、揺動軸３４より引出し奥寄りの長尺の切換え腕３６とが設けられており、
リセット腕３５の上面に、走行ローラー６で押し下げ操作される復帰転動面３７が形成されており、
切換え腕３６の上面に、収納位置へ向かって上り傾斜する第１転動面３８と、第１転動面３８に連続して内奥へ向かって下り傾斜する第２転動面３９とが形成してある請求項１記載の引出し装置。
【請求項３】
支持アーム３１、ばね４６、およびキャッチ具７のそれぞれが、固定レール３の内奥端に設けた後ベース１２に組み付けられてユニット部品化されている請求項１記載の引出し装置。
【請求項４】
第１レール壁１４ａが引出し開口から収納位置へ向かって下り傾斜状に形成されて、第１・第２の両レール壁１４ａ・１４ｂの間に中立点Ｎを設けてある請求項１記載の引出し装置。
【発明の詳細な説明】
【０００１】
【発明の属する技術分野】
本発明は、開放状態の引出しを所定位置まで閉じ操作すると、以後は収納位置へ自己閉止できる機能と、収納位置にある引出しを押し込み操作すると、以後は収納位置から所定位置まで自己開放できる機能とを備えた引出し装置に関する。
【０００２】
【従来の技術】
引出しを所定位置まで押し込み操作すると、以後は収納位置まで自動的に閉じ移動させて収納状態を保持できる引出し装置は、例えば特公平５−２３７６３号公報などに公知である。そこでは、引出し枠に設けたガイド枠と、ガイド枠のガイド溝に沿って前後スライドできる切換え片と、切換え片を収納姿勢に引き戻し付勢するばねと、引出し側面に固定した連動ピン等で、自閉式の引出し装置を構成している。引出しを開放位置から押し込み操作すると、先の各部材が作動状態に切り換わるので、以後はばねの張力で引出しを収納位置まで自動的に引き込み操作できる。
【０００３】
また、先の各部材は引出しを開放方向へ抜き出す際に待機状態にリセットされる。同様の引出し装置は、特開２０００１−３７５６４公報にも見ることができる。そこでは引出し枠の内奥に自閉装置を配置しておき、引出しの出し入れ動作を利用して自閉装置を待機状態と作動状態とに切り換え、作動状態において引出しをばねの張力で収納位置まで引き込み移動できるようにしている。
【０００４】
【発明が解決しようとする課題】
上記のように、ばねを駆動源にした自閉式の引出し装置は、引出しを開放する場合に、自閉装置が待機状態に切り換わるまでの間、ばねの張力に逆らいながら引出しを抜き出し操作しなければならない。そのため身体能力が低下し、あるいは身体に障害がある使用者にとっては、使いにくい不利がある。また、自閉装置が作動状態に切り換わるのと同時に、引出しが急に閉じ移動するため、うっかりしていると、引出し前面板と引出し枠との間に指先を挟み込むおそれがある。ばねの引き戻し力に加えて、引出しを意図的に強い力で押し込み操作するような場合には、引出しがストッパーに激突した反動で、自閉装置の切換え片などの係合が外れ、引出しを閉時状態に維持できないこともある。
【０００５】
本発明の目的は、引出しを所定位置まで閉じ操作すると、以後は引出しを自動的に収納位置まで移動させて位置保持でき、しかも収納状態から引出しを押し込み操作すると所定位置まで自動的に開放できる引出し装置を提供することにある。
【０００６】
本発明の目的は、ばねを駆動源にした従来の引出し装置に比べて軽快に開閉でき、従って身体能力が低下していたり、あるいは身体に障害がある使用者にとっても使いやすい引出し装置を提供することにある。
【０００７】
本発明の目的は、引出し装置の主な構成部品が固定レールと可動レールに組み込まれてユニット部品化されており、従って引出し装置を引出し枠および引出しに対してより少ない手間で、しかも精度良く組み付けて、自己閉止機能と自己解放機能とを常に安定した状態で発揮できる引出し装置を提供することにある。
【０００８】
本発明の目的は、全開放操作した引出しを仕舞い忘れた場合にでも、その大半を引出し枠内に収まる中立点まで自動的に閉じることができ、しかも収納状態から引出しを押し込み操作したのち放置しても、中立点に位置保持して、全開放位置まで転がり開放してしまうのを規制できる引出し装置を提供することにある。
【０００９】
【課題を解決するための手段】
本発明の引出し装置は、引出し枠１側に設けられる固定レール３およびガイドローラー４と、これら固定レール３およびガイドローラー４で抜き差し自在に案内される、引出し２側の可動レール５および走行ローラー６と、引出し２と引出し枠１との間に設けられて、収納位置に差し込まれた引出し２を保持固定するキャッチ具７とを備えている。固定レール３には、走行ローラー６を転動案内する第１レール壁１４ａと、第１レール壁１４ａに連続して収納位置へ向かって上り傾斜する第２レール壁１４ｂとが形成されている。収納位置へ向かって下り傾斜する転動面３９を備えたシーソー体３０を有し、このシーソー体３６は、第２レール壁１４ｂに臨んで配置されている。
【００１０】
シーソー体３０は、転動面３９が第２レール壁１４ｂより上方へ突出する作動位置と、転動面３９が第２レール壁１４ｂより下方へ退避する解除位置との間で上下揺動できるよう固定レール３で軸支する。作動位置においてシーソー体３０を係合保持する支持アーム３１と、支持アーム３１を係合付勢するばね４６とが、引出し枠１側に設けられている。
【００１１】
以て、シーソー体３０を支持アーム３１で作動位置に係合保持した状態において、転動面３９上に移行操作された走行ローラー６が収納位置へ向かって転動することにより引出し２を自己閉止し、同時に引出し２側の部材で支持アーム３１をばね４６に抗して係合解除操作することにより、シーソー体３０を待機姿勢に切り換えることができる。さらに、収納位置から引出し２を押し込み操作して、キャッチ具７をロック解除することにより、走行ローラー６を第２レール壁１４ｂで開放方向へ自己開放し、走行ローラー６の移行動作でシーソー体３０を作動状態に復帰操作できるようにしてある。
【００１２】
シーソー体３０には、揺動軸３４より引出し開口側の短尺のリセット腕３５と、揺動軸３４より引出し奥寄りの長尺の切換え腕３６とが設けられている。リセット腕３５の上面には、走行ローラー６で押し下げ操作される復帰転動面３７が形成されており、切換え腕３６の上面には、収納位置へ向かって上り傾斜する第１転動面３８と、第１転動面３８に連続して内奥へ向かって下り傾斜する第２転動面３９とが形成されている。
【００１３】
支持アーム３１、ばね４６、およびキャッチ具７のそれぞれは、固定レール３の内奥端に設けた後ベース１２に組み付けてユニット部品化することができる。
【００１４】
第１レール壁１４ａは、引出し開口から収納位置へ向かって下り傾斜状に形成し、第１・第２の両レール壁１４ａ・１４ｂの間に中立点Ｎを設けることができる。
【００１５】
【発明の作用効果】
本発明の引出し装置では、固定レール３の内奥に収納位置へ向かって上り傾斜する第２レール壁１４ｂを設けて、収納位置において引出し２を位置保持していたキャッチ具７をロック解除し、走行ローラー６を第２レール壁１４ｂに沿って転動させることにより、引出し２を自己開放できるようにした。さらに、第２レール壁１４ｂと逆向きに傾斜する転動面３９を備えたシーソー体３０を第２レール壁１４ｂに臨ませて配置し、シーソー体３０を作動状態に切り換えた状態において、走行ローラー６を転動面３９に沿って収納位置へ向かって転動させることにより、引出し２を自己閉止できるようにした。
【００１６】
つまり、引出し２を所定位置まで閉じ操作すると、以後は引出し２が自動的に収納位置まで移動して、キャッチ具７でその位置に保持固定でき、しかも収納状態から引出し２を押し込み操作してキャッチ具７をロック解除すると、引出し２を所定位置まで自動的に開放できるので、引出し２の出し入れが簡単に行える。ばねを駆動源にした従来の引出し装置とは異なり、引出し２を押し込み操作するだけで、その開閉を軽快に行えるので、身体能力が低下していたり、あるいは身体に障害がある使用者にとって使いやすい引出し装置を提供できる。
【００１７】
短尺のリセット腕３５と、長尺の切換え腕３６とでシーソー体３０を構成し、リセット腕３５の上面に復帰転動面３７が形成され、切換え腕３６の上面には収納位置へ向かって上り傾斜する第１転動面３８と、第１転動面３８に連続して内奥へ向かって下り傾斜する第２転動面３９とが形成されていると、走行ローラー６を第２転動面３９へ移行させる際の押し込み力が急激に増加するのを避けて、引出し２の収納位置への移行を円滑化できる。
【００１８】
更に、支持腕３１が引出し２側の部材で係合解除操作されるとき、切換え腕３６の重量でシーソー体３０が待機姿勢に切り換わるので、その分だけ姿勢切り換えに要する構造が簡素化し、引出し装置の製造に要するコストを削減できるし、長期使用時にも故障しにくい引出し装置が得られる。引出し２を開放するとき、走行ローラー６で復帰転動面３７を押し下げ揺動して、シーソー体３０を作動状態に切り換えると、シーソー体３０の作動状態へのリセット動作が、緩やかにしかも円滑に行える。
【００１９】
支持アーム３１、ばね４６、およびキャッチ具７をそれぞれ後ベース１２に組み付けて、これらの部材と固定レール３がユニット部品化されていると、引出し装置の主な構成部品を固定レール３と可動レール５とにまとめてユニット化できるので、引出し装置を引出し枠１および引出し２に対してより少ない手間で、しかも精度良く組み付けることができる。更に、自己閉止機能と自己解放機能とを常に安定した状態で発揮できる引出し装置が得られる。
【００２０】
第１レール壁１４ａを引出し開口から収納位置へ向かって下り傾斜状に形成し、第１・第２の両レール壁１４ａ・１４ｂの間に中立点Ｎを設けた引出し装置によれば、全開放操作した引出し２を仕舞い忘れた場合にでも、その大半が引出し枠１内に収まる中立点Ｎまで自動的に閉じる。しかも、収納状態から引出し２を押し込み操作してキャッチ具７をロック解除した後、そのまま放置しても、中立点Ｎの付近に引出し２を位置させて、全開放位置まで転がり開放してしまうのを防止できるので、いかなる状況下にあっても、引出し２を引出し枠１内の邪魔にならない位置に収納できるうえ、使用者の注意を喚起して引出し２の収納を促すことができる。
【００２１】
【実施例】
図１ないし図１０は本発明に係る引出し装置を流し台の収納部分に適用した実施例を示す。図２において、符号１は収納部分の引出し枠、２は引出しであり、両者１・２の間に本発明の引出し装置が設けてある。全ての引出し２を閉じた状態において、それぞれの前面板２ａを引出し枠１の前面と面一にし、外観上の印象をすっきりさせるために、前面板２ａの把手は省略してある。
【００２２】
図３において引出し装置は、引出し枠１の側に設けられる固定レール３およびガイドローラー４と、これら固定レール３およびガイドローラー４で抜き差し自在に案内される、引出し２側の可動レール５および走行ローラー６と、引出し２と引出し枠１との間に設けられて、収納位置に差し込まれた引出しを保持固定するキャッチ具７などで構成されている。
【００２３】
図３ないし図５において、固定レール３はプレス成形された前後に長い枠体からなり、垂直面に沿う主壁１０の前後端のそれぞれに、他より広幅の前ベース１１と後ベース１２とを設け、両ベース１１・１２を除く主壁の上縁に、走行ローラー６用の下向きに開口する規制レール１３を折曲げ形成し、両ベース１１・１２を除く主壁の下縁に走行ローラー６を転動案内するレール壁１４を折り曲げ形成してなる。
【００２４】
レール壁１４の後ろ寄り部分は、後述するシーソー体３０を出没させるために左右幅方向の約半分を切り欠いてあり、この切欠部１５の前寄り部にシーソー体３０を支持するブラケット１６を形成してある（図５参照）。固定レール３は、引出し枠１に設けた引出し空間の対向側面のそれぞれに複数個のビスで締結固定される。
【００２５】
図４においてレール壁１４は、引出し開口の側から引出し２の収納位置側へ向かって下り傾斜する第１レール壁１４ａと、第１レール壁１４ａに連続して収納位置へ向かって上り傾斜する第２レール壁１４ｂとで構成してあり、両レール壁１４ａ・１４ｂの境界部分、すなわち中立点Ｎは先のブラケット１６の前後中心より僅かに前側に設定してある。
【００２６】
規制レール１３は、レール壁１４と同様に傾斜する第１規制レール１３ａと、第２規制レール１３ｂとで形成するが、第２規制レール壁１３ｂの奥端側は収納位置へ向かって下り傾斜させて第３規制レール１３ｃとしてある。図７に示すように、走行ローラー６がシーソー体３０を乗越える際に、走行ローラー６の側方移動を規制するためである。前ベース１１の内側面下方には軸１８を固定し、この軸１８で可動レール５を移行案内するガイドローラー４が遊転のみ自在に軸支されている（図４参照）。
【００２７】
可動レール５はプレス成形された前後に長い枠体からなり、断面Ｌ字状の基枠壁２１と、基枠壁２１の上縁前端から後端寄りにわたって折曲げ形成された可動レール壁２２と、基枠壁２１の後部に設けたローラー支持壁２３とを一体に備えている。可動レール壁２２の後端寄りには、ガイドローラー４と接当して、引出し２の抜き出し限界を規定する突起２４（図４参照）が下向きに突出している。
【００２８】
ローラー支持壁２３の外側面に、先のレール壁１４で転動案内される走行ローラー６を配置してあり、この走行ローラー６はローラーベース２３に固定した軸２５で遊転自在に軸支されている。図６に示すように可動レール５は、基枠壁２１の水平の壁部分に締結固定した断面コ字状の取付枠２６を介して引出し２の両側底面に固定してある。ローラー支持壁２３の後端縁には外側面へ向かって吸着部２７が折り曲げ形成されている。
【００２９】
図３において走行ローラー６が規制レール１３とレール壁１４との間に嵌り込む状態で可動レール５を固定レール３に組み、可動レール壁２２をガイドローラー４で受け止め支持することにより、引出し２を引出し枠１に対して軽快に出し入れ操作できる。先に説明したように、レール壁１４の過半前部は収納位置へ向かって下り傾斜しているので、引出し２を全開放した状態において、走行ローラー６が第１レール壁１４ａで受け止められている限り、引出し２は中立点Ｎへ向かって閉じ移動する。従って、全開放した引出し２をその状態のままで放置したとしても、引出し枠１内の邪魔にならない位置まで収納することができる。
【００３０】
上記の引出し装置に自己閉止機能と自己開放機能とを付与するために、第２レール壁１４ｂの下面にシーソー体３０を設けてあり、その奥端側にシーソー体３０を係合保持する支持アーム３１が設けられている。また、固定レール３の後ベース１２には、収納位置に差し込まれた引出し２を磁気吸着して収納位置に位置保持するためのキャッチ具７が設けられている。
【００３１】
図５においてシーソー体３０は断面逆Ｌ字状のプラスチック成形品からなり、その前部が固定レール３のブラケット１６に固定した揺動軸３４で揺動自在に軸支されている。シーソー体２８は、揺動軸３４より引出し開口側の短尺のリセット腕３５と、揺動軸３４より引出し奥寄りの長尺の切換え腕３６とからなる。
【００３２】
リセット腕３５の上面には上凸状の復帰転動面３７が形成してあり、切換え腕３６の上面には収納位置へ向かって上り傾斜する第１転動面３８と、第１転動面３８に連続して内奥へ向かって下り傾斜する第２転動面（転動面）３９とを形成してある。切換え腕３６の奥端下面には、支持アーム３１で係合支持される段部４０を形成してある。リセット腕３５と切換え腕３６との間は、ブラケット１６を接合するために断面Ｌ字の水平壁部分を有する。
【００３３】
上記のように、シーソー体３０を揺動軸３４で上下揺動可能に支持することにより、シーソー体３０は、その第２転動面３９が第２レール壁１４ｂより上方へ突出する作動位置（図１に示す状態）と、第２転動面３９が第２レール壁１４ｂより下方へ退避する解除位置（図８に示す状態）との間で上下揺動できる。
【００３４】
シーソー体３０が作動位置にあるとき、リセット腕３５の復帰転動面３７のピーク位置は第１転動面３８とほぼ面一になっており、シーソー体３０が解除位置にあるとき、復帰転動面３７のピーク位置は第１転動面３８より上方に突出している。このときの揺動限界は、図８に示すように、シーソー体３０の前端の接当部４２が、先の第１レール壁１４ａの切欠縁に接当することで規定される。走行ローラー６は、レール壁１４と各転動面３７・３８・３９とで同時に受け止められて転動でき、あるいはシーソー体３０を通過するときは、図７に示すようにシーソー体３０の各転動面３７・３８・３９で受け止められて転動する。
【００３５】
図５に示すように、支持アーム３１は、揺動腕４３と、その下端から前向きに突設される係合爪４４とを一体に形成したＬ字状のプラスチック成形品からなり、揺動腕４３の上端を後ベース１２に固定したピン４５で軸支することにより、アーム全体が前後揺動可能に支持される。支持アーム３１はピン４５に外嵌した捻りコイル形のばね４６で時計回転方向、すなわち係合爪４４が段部４０と係合する向きに係合付勢してある。
【００３６】
従って、図１０に示すように、シーソー体３０が待機位置から作動位置に切り換わると、その係合爪４４が段部４０と係合してシーソー体３０を作動位置に保持できる。また、図８に示すようにばね４６の付勢力に抗して走行ローラー６で支持アーム３１を反時計回転方向へ押し込むと、その係合爪４４が段部４０から離脱揺動するので、シーソー体３０は切換え腕３６の重量モーメントによって時計回転方向へ揺動して解除姿勢に切り換わる。なお、ばね４６の片方のばね腕は揺動腕４３に掛止され、他方のばね腕はキャッチ具７に掛止してある。
【００３７】
キャッチ具７はマグネットキャッチであり、後ベース１２に固定したケース４９と、ケース４９に対して前後に出没するスライド片５０と、スライド片５０の突端に埋設した吸着板５１、およびケース４９にそれぞれ内蔵された永久磁石、ロック機構等で構成してあり、スライド片５０を押し込み操作するだけで、ロック状態と、ロック解除状態とに切り換えることができる。
【００３８】
また、スライド片５０をケース４９内に押し込んだロック状態では吸着板５１で磁気吸着でき、ロック状態のスライド片５０を再度押し込むと、スライド片５０がロック解除されてケース４９から押し出され、磁気吸着できない状態に切り換わる。この種のキャッチ具は市販品をそのまま適用できるので、その詳細構造の説明は省略する。
【００３９】
次に図１、図３、および図８〜１０を参照しながら各部材の動作を説明する。なお、図１および図８〜１０の各図においては、支持アーム３１とキャッチ具７の動作を理解しやすくするために、固定レール３と可動レール５とを上下に分離した状態で表現した。図３に示すように開放操作した引出し２を放置すると、走行ローラー６が第１レール壁１４ａに案内されて中立点Ｎの付近まで閉じ移動する。このとき、シーソー体３０は支持アーム３１で作動位置に係合保持されており、キャッチ具７のスライド片５０はケース４９から押し出されてロック解除状態になっている。
【００４０】
この状態から引出し２を押し込み操作すると、図１に示すように、走行ローラー６は第１転動面３８を乗越えて第２転動面３９へと移行する。以後、走行ローラー６は、第２転動面３９に案内されて収納位置へ向かって転動するので、押し込み操作する必要もなく引出し２を自己閉止できる。つまり、引出し２全体は自己の運動慣性力のみで収納位置へ向かって移動する。
【００４１】
図８に示すように、引出し２の全体が収納位置側のレール端に達すると、走行ローラー６が揺動腕４３に接当し、支持アーム３１をばね４６の付勢力に抗して反時計回転方向へ揺動操作する。その結果、係合爪４４が段部４０から離脱するので、シーソー体３０は切換え腕３６が下向きに揺動して待機状態に切り換わり、第１転動面３８が第２レール壁１４ｂと面一になり、復帰転動面３７が第１レール壁１４ａの上面に突出する。
【００４２】
これらの動作と同時に、可動レール５の吸着部２７がキャッチ具７の吸着板５１に接当して、スライド片５０をケース４９内のばね圧に抗しながらケース４９内へ押し込み、キャッチ具７をロック状態に切り換える。この状態では、吸着部２７が吸着板５１で磁気吸着されているので、引出し２が第２レール壁１４ｂに沿って移動することはない。
【００４３】
なお、スライド片５０は、図８に示すように引出し２の運動慣性力によって限界位置まで押し込まれた後、図９に示すようにケース４９から僅かに突出した状態でその位置を保持しており、厳密にはこの状態が引出し２の収納位置となる。もちろん、全開放した状態の引出し２をいきなり収納位置へ押し込み操作する場合にも、同様にしてキャッチ具７で収納位置に保持でき、引出し２が衝突反力で開放移動することはない。
【００４４】
上記のように引出し２が収納位置にあるとき、支持アーム３１の係合爪４４の先端は、図９に示すようにシーソー体３０の後端面で受け止められている。また、走行ローラー６は第２レール壁１４ｂの傾斜上端寄りに位置している。この状態で引出し２を押し込み操作することにより、スライド片５０を吸着部２７で限界位置まで押し込むと、スライド片５０がロック解除されるので、スライド片５０はケース４９から押し出され、同時に磁気吸着できない待機状態に切り換わる。従って、吸着部２７が吸着板５１から分離し、走行ローラー６は第２レール壁１４ｂに沿って転動する。つまり、引出し２を中立点付近まで自動的に開放できる。
【００４５】
中立点を越えて引出し２を抜き出し操作すると、図１０に示すように走行ローラー６がリセット腕３５の復帰転動面３７に乗上がり、シーソー体３０を反時計回転方向へ揺動させる。この揺動変位によって支持アーム３１の係合爪４４が段部４０の下面側へ入り込むので、シーソー体３０は再び支持アーム３１で係合支持されて、作動状態に保持される。つまり走行ローラー６の移行動作によって、シーソー体３０を待機状態から作動状態にリセットできる。
【００４６】
上記の各部材は、以下のように変更して実施することができる。シーソー体３０は、ばねで待機姿勢に揺動付勢することができる。キャッチ具７は引出し２の後壁と引出し枠１との間に設けることができる。。支持アーム３１やキャッチ具７は、固定レール３とは別にして引出し枠１に固定することができる。
【００４７】
作動状態における第１レール壁１４ａは、ほぼ水平に形成することができる。この場合には、第１レール壁１４ａと第２レール壁１４ｂとの間に形成される段部を丸めて、走行ローラー６の第２レール壁１４ｂへの乗越えを容易化する。
【００４８】
前記段部４０に代えて、支持アーム３１で係止される突起や凹部をシーソー体３０に設けることができる。支持アーム３１は走行ローラ６で係合解除操作する必要はなく、引出し２または可動レール５側の部材であれば何でもよい。チャック具７は、磁気吸着式のキャッチ具である必要はなく、一対のばね腕、あるいはばねで捕捉付勢される一対の爪を捕捉要素とする、市販の各種キャッチ具を利用することができる。本発明の引出し装置は、事務用、家具用、あるいは陳列用など、台所用収納具以外の引出しにも広く適用可能である。
【図面の簡単な説明】
【図１】レール構造の要部の側面図
【図２】引出し装置の適用例を示す斜視図
【図３】引出し構造の側面図
【図４】レール構造の分解側面図
【図５】レール構造の分解斜視図
【図６】図３におけるＡ−Ａ線断面図
【図７】図１におけるＢ−Ｂ線断面図
【図８】シーソー体および支持アームの動作を示すレール要部の側面図
【図９】シーソー体および支持アームの別の動作を示すレール要部の側面図
【図１０】シーソー体および支持アームの別の動作を示すレール要部の側面図
【符号の説明】
１　引出し枠
３　固定レール
４　ガイドローラー
５　可動レール
６　走行ローラー
７　キャッチ具
１２　後ベース
１４ａ　第１レール壁
１４ｂ　第２レール壁
３０　シーソー体
３１　支持アーム
３４　揺動軸
３５　リセット腕
３６　切換え腕
３７　復帰転動面
３８　第１転動面
３９　第２転動面
４６　ばね
【図１】
2004065701.tif 000003
【図２】
2004065701.tif 000004
【図３】
2004065701.tif 000005
【図４】
2004065701.tif 000006
【図５】
2004065701.tif 000007
【図６】
2004065701.tif 000008
【図７】
2004065701.tif 000009
【図８】
2004065701.tif 000010
【図９】
2004065701.tif 000011
【図１０】
2004065701.tif 000012